【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
袋体の内側に配設された板状体によって一面が開口する収納室が画成される箱状本体部と、箱状本体部に対して扉取付手段で片持ち支持され、該箱状本体部の開口部を開閉する扉とを備えた断熱ボックスにおいて、
前記扉取付手段は、
前記袋体の側面に設けられ、前記扉の側縁部に設けた扉ヒンジを該袋体との間に挟んで面ファスナーで着脱可能に保持して、該扉を上下方向の軸周りに回動可能に支持する取付フラップと、
前記袋体に設けられ、面ファスナーで貼り付けて前記取付フラップを開き止めする規制ベルトとを備えた
ことを特徴とする断熱ボックス。
【請求項２】
袋体の内側で箱状に組み立てた板状体によって前側に開口する収納室が画成される箱状本体部と、上下方向の軸周りに回動して該箱状本体部の開口部を開閉する扉とを備え、該箱状本体部を構成した組み立て状態と、板状体を前記袋体の内側で重ね合わせると共に該袋体を折り畳んだ折り畳み状態とに変形可能に構成した断熱ボックスにおいて、
前記扉の側縁部に設けた扉ヒンジを、前記袋体に設けた扉取付手段によって着脱可能に支持し、
前記扉取付手段は、
後縁部を前記袋体の側面に接続して前側を開閉可能に形成され、面ファスナーによって該袋体の側面に一面が貼り付く扉ヒンジを挟むと共に、該扉ヒンジの他面に面ファスナーを介して貼り付いて、該扉ヒンジを保持する取付フラップと、
前記袋体の下面および上面の夫々に設けられ、該袋体に接続した部分から延びる延出部分を前記取付フラップの外面に面ファスナーを介して貼り付けて、該取付フラップを開き止めする一対の規制ベルトとを備えた
ことを特徴とする断熱ボックス。
【請求項３】
前記箱状本体部の開口部の両側に設けられた一対の扉取付手段に、夫々の前記扉ヒンジが支持された一対の扉を備えた請求項１または２記載の断熱ボックス。
【請求項４】
前記板状体として、前記組み立て状態において、前記収納室の天井をなす天板と、収納室の底をなす底板と、収納室の後面をなす奧板と、収納室の左右の側面をなす一対の側板とを有し、
前記天板の下面には、柔軟な網状体から袋状に形成されて、蓄冷材を出し入れ可能な収容部が設けられ、
前記奧板は、その上縁部が奧板ヒンジを介して前記天板の後縁部に接続され、該天板および前記底板の間に立てた組み立て状態と、前記収容部を挟んで天板に重ね合わせた折り畳み状態とに、該奧板ヒンジで回動して姿勢変位可能に構成された請求項２記載の断熱ボックス。
【請求項５】
前記側板は、連結ヒンジで縁部を互いに繋いだ複数の側板パネルで構成されると共に、最下段の側板パネルが側板ヒンジを介して底板の側縁部に接続され、
前記側板は、前記複数の側板パネルを前記天板および前記底板の間に立てた組み立て姿勢と、最下段の側板パネルを底板に重ね合わせると共に該最下段の側板パネルに他の側板パネルを重ね合わせた折り畳み姿勢とに、連結ヒンジおよび側板ヒンジで回動して姿勢変位可能に構成された請求項４記載の断熱ボックス。
【手続補正２】
【補正対象書類名】明細書
【補正対象項目名】０００７
【補正方法】変更
【補正の内容】
【０００７】
前記課題を克服し、所期の目的を達成するため、本願の請求項１に係る発明の断熱ボックスは、
袋体の内側に配設された板状体によって一面が開口する収納室が画成される箱状本体部と、箱状本体部に対して扉取付手段で片持ち支持され、該箱状本体部の開口部を開閉する扉とを備えた断熱ボックスにおいて、
前記扉取付手段は、
前記袋体の側面に設けられ、前記扉の側縁部に設けた扉ヒンジを該袋体との間に挟んで面ファスナーで着脱可能に保持して、該扉を上下方向の軸周りに回動可能に支持する取付フラップと、
前記袋体に設けられ、面ファスナーで貼り付けて前記取付フラップを開き止めする規制ベルトとを備えたことを要旨とする。
前記課題を克服し、所期の目的を達成するため、本願の請求項２に係る発明の断熱ボックスは、
袋体の内側で箱状に組み立てた板状体によって前側に開口する収納室が画成される箱状本体部と、上下方向の軸周りに回動して該箱状本体部の開口部を開閉する扉とを備え、該箱状本体部を構成した組み立て状態と、板状体を前記袋体の内側で重ね合わせると共に該袋体を折り畳んだ折り畳み状態とに変形可能に構成した断熱ボックスにおいて、
前記扉の側縁部に設けた扉ヒンジを、前記袋体に設けた扉取付手段によって着脱可能に支持し、
前記扉取付手段は、
後縁部を前記袋体の側面に接続して前側を開閉可能に形成され、面ファスナーによって該袋体の側面に一面が貼り付く扉ヒンジを挟むと共に、該扉ヒンジの他面に面ファスナーを介して貼り付けて、該扉ヒンジを保持する取付フラップと、
前記袋体の下面および上面の夫々に設けられ、該袋体に接続した部分から延びる延出部分を前記取付フラップの外面に面ファスナーを介して貼り付けて、該取付フラップを開き止めする一対の規制ベルトとを備えたことを要旨とする。
請求項１および２に係る発明によれば、扉の扉ヒンジを袋体の側面との間に挟むと共に面ファスナーを介して支持する取付フラップが、規制ベルトによって開き止めされるので、片持ちした扉を扉取付手段によって適切な姿勢で支持することができる。すなわち、上下の軸周りに開閉する扉であっても自重によって外れることを防止できる。
【手続補正３】
【補正対象書類名】明細書
【補正対象項目名】０００８
【補正方法】変更
【補正の内容】
【０００８】
請求項３に係る発明では、前記箱状本体部の開口部の両側に設けられた一対の扉取付手段に、夫々の前記扉ヒンジが支持された一対の扉を備えたことを要旨とする。
請求項３に係る発明によれば、一対の扉によって箱状本体部の開口部を開閉する構成であるので、扉の軽量化を図り得ると共に、折り畳み状態において袋体の内部に収容し易い。
【手続補正４】
【補正対象書類名】明細書
【補正対象項目名】０００９
【補正方法】変更
【補正の内容】
【０００９】
請求項４に係る発明では、前記板状体として、前記組み立て状態において、前記収納室の天井をなす天板と、収納室の底をなす底板と、収納室の後面をなす奧板と、収納室の左右の側面をなす一対の側板とを有し、
前記天板の下面には、柔軟な網状体から袋状に形成されて、蓄冷材を出し入れ可能な収容部が設けられ、
前記奧板は、その上縁部が奧板ヒンジを介して前記天板の後縁部に接続され、該天板および前記底板の間に立てた組み立て状態と、前記収容部を挟んで天板に重ね合わせた折り畳み状態とに、該奧板ヒンジで回動して姿勢変位可能に構成されたことを要旨とする。
請求項４に係る発明によれば、奧板が天板に対して奧板ヒンジを介して接続されているので、奧板を奧板ヒンジを支点に姿勢変位する際に、奧板が天板の下面に設けられた収容部に引っ掛からない。
【手続補正５】
【補正対象書類名】明細書
【補正対象項目名】００１０
【補正方法】変更
【補正の内容】
【００１０】
請求項５に係る発明では、前記側板は、連結ヒンジで縁部を互いに繋いだ複数の側板パネルで構成されると共に、最下段の側板パネルが側板ヒンジを介して底板の側縁部に接続され、
前記側板は、前記複数の側板パネルを前記天板および前記底板の間に立てた組み立て姿勢と、最下段の側板パネルを底板に重ね合わせると共に該最下段の側板パネルに他の側板パネルを重ね合わせた折り畳み姿勢とに、連結ヒンジおよび側板ヒンジで回動して姿勢変位可能に構成されたことを要旨とする。
請求項５に係る発明によれば、側板を複数の側板パネルで構成し、側板パネルを連結ヒンジで折り畳むことができる。